(57)【要約】【課題】従来の充電器に配設されたケースの開口部では、電池パックの前記ケースの開口部に隣接していない領域において、電池パックを冷却するための空気が対流しないという課題を有しており、その対策を目的とする。【解決手段】充電回路を内蔵した充電器本体に充電する電池パックを収納する電池パック収納部を設けた充電器において、この電池パック収納部の底面に外部に連通する通気孔を設けるとともに電池パックの底面との間に隙間を形成する突部を設け、かつ、電池パック収納部の周壁面と電池パックの周面との間に隙間を設けた充電器である。【選択図】図２
2013078199.tif 000002
【特許請求の範囲】
【請求項１】
充電回路を内蔵した充電器本体に充電する電池パックを収納する電池パック収納部を設けた充電器において、この電池パック収納部の底面に外部に連通する通気孔を設けるとともに電池パックの底面との間に隙間を形成する突部を設け、かつ、電池パック収納部の周壁面と電池パックの周面との間に隙間を設けたことを特徴とする充電器。
【請求項２】
前記電池パック収納部の底面に設けた通気孔の電池パック収納部側の面の周囲に凹部を設けた請求項１記載の充電器。
【請求項３】
前記電池パック収納部の周壁と電池パックの周囲との間の隙間は、電池パック収納部の周壁または電池パックの周囲の少なくともいずれか一方に設けた複数のリブまたは突起によって形成した請求項１記載の充電器。
【発明の詳細な説明】
【技術分野】
【０００１】
本発明は、主として、電動アシスト自転車、電動耕うん機、電動工具などの電気機器に用いられる電池パックを充電するために使用される充電器に関する。
【背景技術】
【０００２】
従来の電池パックを充電する機器において、電池パックを充電器に収納するために充電器のケースによって電池パックが囲われていることが知られており、充電器のケースに開口部を設けて空気を対流させることで充電中に発熱する電池パックを冷却させることが知られている（例えば、特許文献１参照）。
【先行技術文献】
【特許文献】
【０００３】
【特許文献１】特開２００９−１３１０９０号公報
【発明の概要】
【発明が解決しようとする課題】
【０００４】
しかしながら、前記従来の充電器に配設されたケースの開口部では、電池パックの前記ケースの開口部に隣接していない領域において、電池パックを冷却するための空気が対流しないという課題を有していた。
【課題を解決するための手段】
【０００５】
前記従来の課題を解決するために、本発明の充電回路を内蔵した充電器本体に充電する電池パックを収納する電池パック収納部を設けた充電器において、この電池パック収納部の底面に外部に連通する通気孔を設けるとともに電池パックの底面との間に隙間を形成する突部を設け、かつ、電池パック収納部の周壁面と電池パックの周面との間に隙間を設けたことを特徴とする充電器である。
【発明の効果】
【０００６】
本発明によると、充電中の電池パックが発熱することで電池パック周辺の空気が温められて上昇することで発生する空気の対流に伴い、充電器の電池パック収納部の底面部に配設された貫通穴を介して、充電器の底面部から充電器外部の空気を吸入することが可能となり、電池パック収納部に配設された空隙を利用し空気が対流することで、電池パックに充電器外部の空気を触れさせることが可能となり、充電中に発熱する電池パックを冷却することが可能となる。
【図面の簡単な説明】
【０００７】
【図１】本発明の実施の形態２に示す断面図
【図２】本発明の実施の形態１に示す上面外観図
【図３】本発明の実施の形態３に示す底面外観図
【発明を実施するための形態】
【０００８】
以下本発明を実施するための最良の形態について、図面を参照しながら説明する。
【０００９】
（実施の形態１）
図２は本発明の実施の形態１における充電器の上面外観図である。
【００１０】
同図を用いて、本実施の形態における通気孔１０１と底面の隙間１０２にあたる領域と凸形状１０３を説明する。電池パックを充電器１１に収納する電池パック収納部の底面１２に前記電池パック収納部の底面から前記充電器の底面に至るまでを貫通する通気孔１０１を配設する。
【００１１】
前記通気孔１０１の大きさは、空気が通過できるものであればその大きさ、形状、及び、数を特定するものではない。しかし、ここでは、例えば、この通気孔１０１の大きさとして直径１４ｍｍのものを想定している。また、この充電器１１の外観の樹脂は、材料例として、ＰＰＥおよびＡＢＳ樹脂を想定している。
【００１２】
前記電池パック収納部の底面１２には、電池パックと前記電池パック収納部の底面１２との間に底面の隙間１０２が設けられている。
【００１３】
前記底面の隙間１０２は、前記電池パック収納部の底面１２の一部分に凸形状１０３を設ける、または、前記電池パック収納部の底面に凹形状１０４を設ける。
【００１４】
この凸形状１０３の突起の大きさは、例えば、直径１５ｍｍレベルで電池パックを充電器１１へ搭載した場合、底面の隙間１０２は、約０．５ｍｍできることを想定している。
【００１５】
または、そのいずれをも設けることで配設される。前記底面の隙間１０２は空気が通過できるものであれば、その大きさ、形状、及び、数を特定するものではない。
【００１６】
前記電池パック収納部の底面１２に設けた通気孔１０１の電池パック収納部側の面の周囲に凹部１０４を設けた充電器である。
【００１７】
またその際、電池パック収納部の側壁１３に電池パックと前記側壁１３との間に側面の隙間１０５を設けるための凸形状のリブ１０６が複数配設されることを特徴とする充電器である。
【００１８】
前記リブ１０６は前記側壁１３と前記電池パックとの間に隙間を設けるものであれば、その大きさ、形状、及び、数を特定するものではない。
【００１９】
前記電池パック収納部の周壁と電池パックの周囲との間の隙間は、電池パック収納部の周壁または電池パックの周囲の少なくともいずれか一方に設けた複数のリブまたは突起によって形成した充電器である。
【００２０】
（実施の形態２）
図１は本発明の実施の形態１における充電器の断面図である。
【００２１】
同図を用いて、本発明の形態における底面の隙間１０２と凸形状１０３と凹形状１０４を説明する。
【００２２】
電池パック２１を充電器に収納する電池パック収納部の底面１２の一部分に凸形状１０３を設ける、または、前記電池パック収納部の底面１２に凹形状１０４を設ける、または、そのいずれをも設けることで、前記電池パック２１との間に隙間１０２を設ける。
【００２３】
また、その際電池パック収納部の周壁１３または前記電池パック２１の周囲の少なくともいずれかに一方を設けた複数のリブ１０６または突起によって隙間１０５が形成される。
【００２４】
（実施の形態３）
図３は本発明の実施の形態１における充電器の底面外観図である。
【００２５】
同図を用いて、本発明の形態における通気孔１０１を説明する。充電器の底面１４には、電池パック収納部の底面１２に設けた通気孔１０１が貫通し配設されて、前記電池パック収納部の底面１２に充電器１１の外部の空気を吸入させることを可能としている。
【００２６】
上記実施の形態１から形態３で用いた充電用の電池は、主として、電動アシスト自転車、電動耕うん機、電動工具などの消費電力の比較的大きな電気機器に用いられるものを想定しており、そのために発熱した熱量を低減できる構成とした充電器である。
【産業上の利用可能性】
【００２７】
本発明にかかる通気孔、及び、隙間は、充電中に発熱する電池パックに対し充電器外部の空気を吸入し電池パックに充電器外部の空気を触れさせることが可能となり、充電中に発熱する電池パックの冷却が可能になるので、特に中容量、及び、高容量電池パックの充電器の電池パック収納部への配設として有用である。
【符号の説明】
【００２８】
１１    充電器
１２    電池パック収納部の底面
１３    電池パック収納部の周壁
１４    充電器の底面
２１    電池パック
１０１  通気孔
１０２  底面の隙間
１０３  凸形状
１０４  凹形状
１０５  側面の隙間
１０６  リブ
【図１】
2013078199.tif 000003
【図２】
2013078199.tif 000004
【図３】
2013078199.tif 000005